(57)【要約】【課題】液体噴射装置または記録装置において、記録用紙１２０の搬送量検出が、インクミストによる汚染で劣化することを防止する。【解決手段】ガイド軸１４０と、ガイド軸１４０に案内されて往復移動するキャリッジ１５０と、キャリッジ１５０に搬送されつつインクを吐出する記録ヘッド１５６と、回転駆動される搬送駆動ローラ１７０を含み、搬送駆動ローラ１７０の回転で記録用紙１２０を搬送することにより記録ヘッド１５６に対向する位置に記録用紙１２０を送り込む搬送部と、記録ヘッド１５６に対面しない側に形成された目盛り１７３を有し、キャリッジ１５０の往復移動の範囲の外側で搬送駆動ローラ１７０に同軸に装着されて搬送駆動ローラ１７０と共に回転する円板状のロータリスケール１７２と、目盛り１７３の通過を反射光量の変化により検出する回転量センサ１７４とを備える。【選択図】図１
2006341234.tif 000002
【特許請求の範囲】
【請求項１】
ガイド手段と、
前記ガイド手段に案内されて所定の主走査方向に往復移動するキャリッジと、
前記キャリッジに搬送されつつ液体を噴射する液体噴射ヘッドと、
回転駆動されて前記主走査方向と交差する搬送方向に被記録物を搬送して前記液体噴射ヘッドに対向する位置に前記被記録物を送り込む搬送駆動ローラと、
前記液体噴射ヘッドに対面しない側の円形の面に前記搬送駆動ローラの回転軸を中心とする環状の反射率分布として形成された目盛りを有し、前記搬送駆動ローラと同期して回転する部材に前記往復移動の範囲の外側で装着されて一体に回転する円板状のロータリスケールと、
反射光量の変化に基づいて前記目盛りの通過を検出する回転量センサと、
前記回転量センサの出力に基づいて前記被記録物の搬送量を検出する制御部と
を備える液体噴射装置。
【請求項２】
ガイド手段と、
前記ガイド手段に案内されて所定の主走査方向に往復移動するキャリッジと、
前記キャリッジに搬送されつつ液体を噴射する液体噴射ヘッドと、
回転駆動されて前記主走査方向と交差する搬送方向に被記録物を搬送して前記液体噴射ヘッドに対向する位置に前記被記録物を送り込む搬送駆動ローラと、
前記液体噴射ヘッドに対面しない側の円形の面に前記搬送駆動ローラの回転軸を中心とする環状の磁束分布または透磁率分布として形成された目盛りを有し、前記搬送駆動ローラと同期して回転する部材に前記往復移動の範囲の外側で装着されて一体に回転する円板状のロータリスケールと、
磁束密度または透磁率の変化に基づいて前記目盛りの通過を検出する回転量センサと、
前記回転量センサの出力に基づいて前記被記録物の搬送量を検出する制御部と
を備える液体噴射装置。
【請求項３】
前記キャリッジの前記往復移動の範囲と前記ロータリスケールとの間に配置され、前記液体噴射ヘッドから発生したインクミストが前記ロータリスケールに飛来することを阻止するロータリスケールカバーを備える請求項１または請求項２に記載の液体噴射装置。
【請求項４】
前記キャリッジの前記往復移動の範囲と前記回転量センサとの間に配置され、前記液体噴射ヘッドから発生したインクミストが前記回転量センサに付着することを防止するセンサカバーを備える請求項１または請求項２に記載の液体噴射装置。
【請求項５】
ガイド手段と、
前記ガイド手段に案内されて所定の主走査方向に往復移動するキャリッジと、
前記キャリッジに搬送されつつ液体を噴射する液体噴射ヘッドと、
回転駆動されて前記主走査方向と交差する搬送方向に被記録物を搬送して前記液体噴射ヘッドに対向する位置に前記被記録物を送り込む搬送駆動ローラと、
前記液体噴射ヘッドに対面しない側の円形の面に前記搬送駆動ローラの回転軸を中心とする環状の目盛りを有し、前記搬送駆動ローラと同期して回転する部材に前記往復移動の範囲の外側で装着されて一体に回転する円板状のロータリスケールと、
前記目盛りの通過に基づいて前記搬送駆動ローラの回転量を検出する回転量センサと、
前記回転量センサの出力に基づいて前記被記録物の搬送量を検出する制御部と、
前記キャリッジの前記往復移動の範囲と前記ロータリスケールとの間に延在して前記液体噴射ヘッドから発生したインクミストが前記ロータリスケールに付着することを阻止しつつ、前記ガイド手段および前記搬送駆動ローラの少なくとも一方を前記往復移動の範囲の外側で支持する支持部材と
を備える液体噴射装置。
【請求項６】
ガイド手段と、
前記ガイド手段に案内されて所定の主走査方向に往復移動するキャリッジと、
前記キャリッジに搬送されつつ液体を噴射する液体噴射ヘッドと、
回転駆動されて前記主走査方向と交差する搬送方向に被記録物を搬送して前記液体噴射ヘッドに対向する位置に前記被記録物を送り込む搬送駆動ローラと、
前記液体噴射ヘッドに対面しない側の円形の面に前記搬送駆動ローラの回転軸を中心とする環状の目盛りを有し、前記搬送駆動ローラと同期して回転する部材に前記往復移動の範囲の外側で装着されて一体に回転する円板状のロータリスケールと、
前記目盛りの通過に基づいて前記搬送駆動ローラの回転量を検出する回転量センサと、
前記回転量センサの出力に基づいて前記被記録物の搬送量を検出する制御部と、
前記キャリッジの前記往復移動の範囲と前記回転量センサとの間に配置され、前記液体噴射ヘッドから発生したインクミストが前記ロータリスケールに飛来することを阻止するロータリスケールカバーと
を備える液体噴射装置。
【請求項７】
ガイド手段と、
前記ガイド手段に案内されて所定の主走査方向に往復移動するキャリッジと、
前記キャリッジに搬送されつつ液体を噴射する液体噴射ヘッドと、
回転駆動されて前記主走査方向と交差する搬送方向に被記録物を搬送して前記液体噴射ヘッドに対向する位置に前記被記録物を送り込む搬送駆動ローラと、
前記液体噴射ヘッドに対面しない側の円形の面に前記搬送駆動ローラの回転軸を中心とする環状の目盛り、および、前記液体噴射ヘッドから発生したインクミストの飛来を阻止するロータリスケールカバーを有し、前記搬送駆動ローラと同期して回転する部材に前記往復移動の範囲の外側で装着されて一体に回転する円板状のロータリスケールと、
前記目盛りの通過に基づいて前記搬送駆動ローラの回転量を検出する回転量センサと、
前記回転量センサの出力に基づいて前記被記録物の搬送量を検出する制御部と
を備える液体噴射装置。
【請求項８】
記録領域へと搬送された被記録物上に液体を噴射して前記被記録物に記録を行う液体噴射装置において前記被記録物の搬送量を検出する搬送量検出ユニットであって、
回転駆動されることにより前記被記録物を前記記録領域に搬送する搬送駆動ローラと、
前記記録領域と反対側の円形の面に前記搬送駆動ローラの回転軸を中心とする環状の反射率分布として形成された目盛りを有し、前記搬送駆動ローラと同期して回転する部材に前記記録領域の外側で装着されて一体に回転する円板状のロータリスケールと、
前記目盛りが通過したことによる反射光量の変化に基づいて前記搬送駆動ローラの回転量を検出する回転量センサと
を備える搬送量検出ユニット。
【請求項９】
記録領域へと搬送された被記録物上に液体を噴射して前記被記録物に記録を行う液体噴射装置において前記被記録物の搬送量を検出する搬送量検出ユニットであって、
回転駆動されることにより前記被記録物を前記記録領域に搬送する搬送駆動ローラと、
前記記録領域と反対側の円形の面に前記搬送駆動ローラの回転軸を中心とする環状の磁束分布または透磁率分布として形成された目盛りを有し、前記搬送駆動ローラと同期して回転する部材に前記記録領域の外側で装着されて一体に回転する円板状のロータリスケールと、
前記目盛りが通過したことによる磁束密度または透磁率の変化に基づいて前記搬送駆動ローラの回転量を検出する回転量センサと
を備える搬送量検出ユニット。
【請求項１０】
回転駆動されることにより被記録物を所定の搬送方向に搬送する搬送駆動ローラと、前記搬送駆動ローラと同軸の環状に配された目盛りを有し前記搬送駆動ローラと一体に回転するロータリスケールと、前記目盛りの通過を検出することにより前記搬送駆動ローラの回転量を検出する回転量センサと、前記搬送駆動ローラにより記録領域に搬送された前記被記録物に対して液体を噴射する液体噴射ヘッドとを備えた液体噴射装置において、
前記搬送駆動ローラを支持し、且つ、前記記録領域および前記ロータリスケールの間に延在して前記液体噴射ヘッドから発生したインクミストが前記ロータリスケールおよび前記回転量センサに飛来することを阻止する障壁部を有する支持部材。
【請求項１１】
回転駆動されることにより被記録物を所定の搬送方向に搬送する搬送駆動ローラと、前記搬送駆動ローラと同軸の環状に配された目盛りを有し前記搬送駆動ローラと一体に回転するロータリスケールと、前記目盛りの通過を検出することにより前記搬送駆動ローラの回転量を検出する回転量センサと、前記搬送駆動ローラにより記録領域に搬送された前記被記録物の表面に液体を噴射する液体噴射ヘッドとを備えた液体噴射装置において、
前記記録領域と前記ロータリスケールおよび前記回転量センサとの間に延在して、前記液体噴射ヘッドから発生したインクミストが前記ロータリスケールに飛来することを阻止する遮蔽部材。
【請求項１２】
記録領域へと搬送された被記録物上に液体を噴射して前記被記録物に記録を行う液体噴射装置において前記被記録物の搬送量を検出する搬送量検出ユニットであって、
回転駆動されることにより前記被記録物を前記記録領域に搬送する搬送駆動ローラと、
前記記録領域と反対側の円形の面に前記搬送駆動ローラの回転軸を中心とする環状の目盛り、および、前記記録領域から飛来したインクミストを阻止するロータリスケールカバーを有し、前記搬送駆動ローラと同期して回転する部材に前記記録領域の外側で装着されて一体に回転する円板状のロータリスケールと、
前記目盛りの通過を検出することにより前記搬送駆動ローラの回転量を検出する回転量センサと
を備える搬送量検出ユニット。
【請求項１３】
記録領域へと搬送された被記録物上に液体を噴射して前記被記録物に記録を行う液体噴射装置において前記被記録物の搬送量を検出する搬送量検出ユニットであって、
回転駆動されることにより前記被記録物を前記記録領域に搬送する搬送駆動ローラと、
前記記録領域の反対側の円形の面に前記搬送駆動ローラの回転軸を中心とする環状の目盛りを有し、前記搬送駆動ローラと同期して回転する部材に前記記録領域の外側で装着されて一体に回転する円板状のロータリスケールと、
前記記録領域から飛来したインクミストの付着を阻止するセンサカバーを有し、前記目盛りが通過したことに基づいて前記搬送駆動ローラの回転量を検出する回転量センサと
を備える搬送量検出ユニット。
【請求項１４】
ガイド手段と、
前記ガイド手段に案内されて所定の主走査方向に往復移動するキャリッジと、
前記キャリッジに搬送されつつインクを吐出する記録ヘッドと、
回転駆動されて前記主走査方向と交差する搬送方向に被記録物を搬送して前記記録ヘッドに対向する位置に前記被記録物を送り込む搬送駆動ローラと、
前記記録ヘッドに対面しない側の円形の面に前記搬送駆動ローラの回転軸を中心とする環状の反射率分布として形成された目盛りを有し、前記搬送駆動ローラと同期して回転する部材に前記往復移動の範囲の外側で装着されて一体に回転する円板状のロータリスケールと、
反射光量の変化に基づいて前記目盛りの通過を検出する回転量センサと、
前記回転量センサの出力に基づいて前記被記録物の搬送量を検出する制御部と
を備える記録装置。
【請求項１５】
ガイド手段と、
前記ガイド手段に案内されて所定の主走査方向に往復移動するキャリッジと、
前記キャリッジに搬送されつつインクを吐出する記録ヘッドと、
回転駆動されて前記主走査方向と交差する搬送方向に被記録物を搬送して前記記録ヘッドに対向する位置に前記被記録物を送り込む搬送駆動ローラと、
前記記録ヘッドに対面しない側の円形の面に前記搬送駆動ローラの回転軸を中心とする環状の磁束分布または透磁率分布として形成された目盛りを有し、前記搬送駆動ローラと同期して回転する部材に前記往復移動の範囲の外側で装着されて一体に回転する円板状のロータリスケールと、
磁束密度または透磁率の変化に基づいて前記目盛りの通過を検出する回転量センサと、
前記回転量センサの出力に基づいて前記被記録物の搬送量を検出する制御部と
を備える記録装置。
【請求項１６】
ガイド手段と、
前記ガイド手段に案内されて所定の主走査方向に往復移動するキャリッジと、
前記キャリッジに搬送されつつインクを吐出する記録ヘッドと、
回転駆動されて前記主走査方向と交差する搬送方向に被記録物を搬送して前記記録ヘッドに対向する位置に前記被記録物を送り込む搬送駆動ローラと、
前記記録ヘッドに対面しない側の円形の面に前記搬送駆動ローラの回転軸を中心とする環状の目盛りを有し、前記搬送駆動ローラと同期して回転する部材に前記往復移動の範囲の外側で装着されて一体に回転する円板状のロータリスケールと、
前記目盛りの通過に基づいて前記搬送駆動ローラの回転量を検出する回転量センサと、
前記回転量センサの出力に基づいて前記被記録物の搬送量を検出する制御部と、
前記キャリッジの前記往復移動の範囲と前記ロータリスケールとの間に延在して前記記録ヘッドから発生したインクミストが前記ロータリスケールに付着することを阻止しつつ、前記ガイド手段および前記搬送駆動ローラの少なくとも一方を前記往復移動の範囲の外側で支持する支持部材と
を備える記録装置。
【請求項１７】
ガイド手段と、
前記ガイド手段に案内されて所定の主走査方向に往復移動するキャリッジと、
前記キャリッジに搬送されつつインクを吐出する記録ヘッドと、
回転駆動されて前記主走査方向と交差する搬送方向に被記録物を搬送して前記記録ヘッドに対向する位置に前記被記録物を送り込む搬送駆動ローラと、
前記記録ヘッドに対面しない側の円形の面に前記搬送駆動ローラの回転軸を中心とする環状の目盛りを有し、前記搬送駆動ローラと同期して回転する部材に前記往復移動の範囲の外側で装着されて一体に回転する円板状のロータリスケールと、
前記目盛りの通過に基づいて前記搬送駆動ローラの回転量を検出する回転量センサと、
前記回転量センサの出力に基づいて前記被記録物の搬送量を検出する制御部と、
前記キャリッジの前記往復移動の範囲と前記回転量センサとの間に配置され、前記記録ヘッドから発生したインクミストが前記ロータリスケールに飛来することを阻止するロータリスケールカバーと
を備える記録装置。
【請求項１８】
ガイド手段と、
前記ガイド手段に案内されて所定の主走査方向に往復移動するキャリッジと、
前記キャリッジに搬送されつつインクを吐出する記録ヘッドと、
回転駆動されて前記主走査方向と交差する搬送方向に被記録物を搬送して前記記録ヘッドに対向する位置に前記被記録物を送り込む搬送駆動ローラと、
前記記録ヘッドに対面しない側の円形の面に前記搬送駆動ローラの回転軸を中心とする環状の目盛り、および、前記記録ヘッドから発生したインクミストの飛来を阻止するロータリスケールカバーを有し、前記搬送駆動ローラと同期して回転する部材に前記往復移動の範囲の外側で装着されて一体に回転する円板状のロータリスケールと、
前記目盛りの通過に基づいて前記搬送駆動ローラの回転量を検出する回転量センサと、
前記回転量センサの出力に基づいて前記被記録物の搬送量を検出する制御部と
を備える記録装置。
【発明の詳細な説明】
【技術分野】
【０００１】
本発明は、液体噴射装置とそのための搬送量検出ユニットに関する。より詳細には、記録装置を含む体噴射装置において被記録物の搬送量を検出する回転量検出ユニットと、それを備えた液体噴射装置または記録装置に関する。
【背景技術】
【０００２】
液体噴射装置において、液体を噴射する液体噴射ヘッドが被記録物に対して一時に液体を付着させ得る範囲は限られている。そこで、多くの液体噴射装置では、被記録物を特定の搬送方向に移動させる動作と、液体を噴射する液体噴射ヘッドを搬送方向と交差する主走査方向に往復移動させつつ液体を噴射させる動作とを組み合わせて、２次元的な拡がりを有する被記録物に対して液体を付着させている。
【０００３】
被記録物の搬送方向への移動と液体噴射ヘッドの主走査方向への往復移動を組み合わせた記録動作において、被記録物の搬送方向の記録精度は、搬送駆動ローラの回転量制御の正確さに強く依存する。そこで、搬送駆動ローラによる被記録物の搬送量に対応した搬送駆動ローラの回転量を計測する回転量検出ユニットを設け、搬送駆動ローラの回転量を精密に計測することにより搬送量を検出して駆動量を制御している。
【０００４】
なお、回転量検出ユニットは、例えば、搬送駆動ローラに同軸且つ一体に装着されたロータリスケールと、液体噴射装置内に固定された光学センサとを組み合わせて形成できる。即ち、ロータリスケールに形成された目盛りの通過を光学センサで計測することにより搬送駆動ローラの回転量が検出され、更に、その検出結果に基づいて被記録物の搬送量が算出される。
【０００５】
また、光学センサとしては、リニアスケールを挟んで配置された光源および受光素子を備えた透過型光学センサが選ばれている。更に、透過型光学センサに対応して、ロータリスケールも、透明な円板に不透明な目盛りを形成したものが用いられる。これは、透過型センサの方が高い解像度を得易いからである。
【０００６】
一方、記録解像度向上への要求により、昨今の液体噴射装置では、液体噴射ヘッドから被記録物に対して噴射される液滴が非常に微細化されている。このような微細な液滴は、自身の質量が非常に小さいので、液体噴射ヘッドからいったん吐出されると雰囲気の粘性抵抗等により運動エネルギーを急速に失ってしまう。運動エネルギーを失った微細な液滴は、重力加速度による落下運動と雰囲気の粘性抵抗力とが殆どつり合い、落下し切るまでに長い時間を要する。
【０００７】
このように被記録物に付着することなく浮遊する液滴はインクミストと呼ばれ、記録動作のために噴射された後に相当の時間が経過してから何らかの対象に付着する。このインクミストの付着対象がロータリスケールであった場合、光学センサによる目盛りの検出に誤りが生じて、最終的に正確な搬送量を知ることができなくなる場合がある。
【０００８】
下記特許文献１および２には、上記のようなインクミストによる汚染を低減するための技術が開示されている。即ち、特許文献１には、被記録物と液体噴射ノズルとの間隔を計測して最適な記録動作モードを選択して実行することによりインクのミスト化を低減できると記載されている。また、特許文献２には、インクジェットプリンタのリニアエンコーダスケール、リニアエンコーダセンサ、ガイドレールをインクミストと同電位に保ち、電気的な反発力でインクミストの付着を防止する技術が開示されている。
【特許文献１】特開２００２−１９２７１４号公報
【特許文献２】特開２００４−１７４７４９号公報
【発明の開示】
【発明が解決しようとする課題】
【０００９】
しかしながら、特許文献１に記載された技術は、インクジェット式記録装置に、被記録物と液体噴射ノズルとの間隔であるプラテンギャップを変化させ得る機能が備わっていることが要件となる。また、プラテンギャップを計測する手段、プラテンギャップの計測結果を記録動作モードに反映させる手段等を新たに設けなければならない。従って、このインクジェット式記録装置を実現するには多大なコストがかかる。
【００１０】
また、特許文献２に記載されたインクジェットプリンタも、その実現に、高価な高電圧発生装置の実装が必須である。従って、インクジェットプリンタの価格を上昇させてしまうという問題がある。
【課題を解決するための手段】
【００１１】
そこで、上記課題を解決するために、本発明の第１の形態として、ガイド手段と、ガイド手段に案内されて所定の主走査方向に往復移動するキャリッジと、キャリッジに搬送されつつ液体を噴射する液体噴射ヘッドと、回転駆動されて主走査方向と交差する搬送方向に被記録物を搬送して液体噴射ヘッドに対向する位置に被記録物を送り込む搬送駆動ローラと、液体噴射ヘッドに対面しない側の円形の面に搬送駆動ローラの回転軸を中心とする環状の反射率分布として形成された目盛りを有し、前記搬送駆動ローラと同期して回転する部材に前記往復移動の範囲の外側で装着されて一体に回転する円板状のロータリスケールと、反射光量の変化に基づいて目盛りの通過を検出する回転量センサと、回転量センサの出力に基づいて被記録物の搬送量を検出する制御部とを備える液体噴射装置が提供される。これにより、インクミストによる汚染の影響を受けるロータリスケールがインクミストを発生する液体噴射ヘッドに対面しなくなるので、インクミストが付着し難くなる。従って、インクミストによる汚染に起因する搬送量の検出精度の劣化が防止される。
【００１２】
また、本発明の第２の形態として、ガイド手段と、ガイド手段に案内されて所定の主走査方向に往復移動するキャリッジと、キャリッジに搬送されつつ液体を噴射する液体噴射ヘッドと、回転駆動されて主走査方向と交差する搬送方向に被記録物を搬送して液体噴射ヘッドに対向する位置に被記録物を送り込む搬送駆動ローラと、液体噴射ヘッドに対面しない側の円形の面に搬送駆動ローラの回転軸を中心とする環状の磁束分布または透磁率分布として形成された目盛りを有し、搬送駆動ローラと同期して回転する部材にキャリッジの往復移動の範囲の外側で装着されて一体に回転する円板状のロータリスケールと、磁束密度または透磁率の変化に基づいて目盛りの通過を検出する回転量センサと、回転量センサの出力に基づいて被記録物の搬送量を検出する制御部とを備える液体噴射装置が提供される。これにより、回転量センサとして磁気センサを用いた液体噴射装置においても、インクミストによる汚染の影響を受けるロータリスケールがインクミストを発生する液体噴射ヘッドに対面しなくなるので、インクミストが付着し難くなる。従って、インクミストによる汚染に起因する搬送量の検出精度の劣化が防止される。
【００１３】
更に、ひとつの実施形態として、キャリッジの往復移動の範囲とロータリスケールとの間に配置され、液体噴射ヘッドから発生したインクミストがロータリスケールに飛来することを阻止するロータリスケールカバーを備える。これにより、ロータリスケールに飛来するインクミストを一層確実に阻止でき、インクミストによる汚染に起因する搬送量の検出精度劣化を防止できる。
【００１４】
更に、他の実施形態として、上記液体噴射装置において、キャリッジの往復移動の範囲と回転量センサとの間に配置され、液体噴射ヘッドから発生したインクミストが回転量センサに付着することを防止するセンサカバーを備える。これにより、回転量センサに飛来するインクミストを一層確実に阻止でき、インクミストによる汚染に起因する搬送量の検出精度劣化を防止できる。
【００１５】
また、本発明の第３の形態として、ガイド手段と、ガイド手段に案内されて所定の主走査方向に往復移動するキャリッジと、キャリッジに搬送されつつ液体を噴射する液体噴射ヘッドと、回転駆動されて主走査方向と交差する搬送方向に被記録物を搬送して液体噴射ヘッドに対向する位置に被記録物を送り込む搬送駆動ローラと、液体噴射ヘッドに対面しない側の円形の面に搬送駆動ローラの回転軸を中心とする環状の目盛りを有し、搬送駆動ローラと同期して回転する部材にキャリッジの往復移動範囲の外側で装着されて一体に回転する円板状のロータリスケール円板状のロータリスケールと、目盛りの通過に基づいて搬送駆動ローラの回転量を検出する回転量センサと、回転量センサの出力に基づいて被記録物の搬送量を検出する制御部と、キャリッジの往復移動の範囲とロータリスケールとの間に延在して液体噴射ヘッドから発生したインクミストがロータリスケールに付着することを阻止しつつ、ガイド手段および搬送駆動ローラの少なくとも一方を往復移動の範囲の外側で支持する支持部材とを備える液体噴射装置が提供される。これにより、部品点数を増加させることなく、インクミストによるロータリスケールの汚染を防止できる。
【００１６】
更に、本発明の第４の形態として、ガイド手段と、ガイド手段に案内されて所定の主走査方向に往復移動するキャリッジと、キャリッジに搬送されつつ液体を噴射する液体噴射ヘッドと、回転駆動されて主走査方向と交差する搬送方向に被記録物を搬送して液体噴射ヘッドに対向する位置に被記録物を送り込む搬送駆動ローラと、液体噴射ヘッドに対面しない側の円形の面に搬送駆動ローラの回転軸を中心とする環状の目盛りを有し、搬送駆動ローラと同期して回転する部材にキャリッジの往復移動範囲の外側で装着されて一体に回転する円板状のロータリスケールと、目盛りの通過に基づいて搬送駆動ローラの回転量を検出する回転量センサと、回転量センサの出力に基づいて被記録物の搬送量を検出する制御部と、キャリッジの往復移動の範囲と回転量センサとの間に配置され、液体噴射ヘッドから発生したインクミストがロータリスケールに飛来することを阻止するロータリスケールカバーとを備える液体噴射装置が提供される。これにより、浮遊するインクミストがロータリスケールに飛来することを阻止できるので、インクミストによる汚染に起因する搬送量の検出精度劣化を防止できる。
【００１７】
更に、本発明の第５の形態として、ガイド手段と、ガイド手段に案内されて所定の主走査方向に往復移動するキャリッジと、キャリッジに搬送されつつ液体を噴射する液体噴射ヘッドと、回転駆動されて主走査方向と交差する搬送方向に被記録物を搬送して液体噴射ヘッドに対向する位置に被記録物を送り込む搬送駆動ローラと、前記液体噴射ヘッドに対面しない側の円形の面に前記搬送駆動ローラの回転軸を中心とする環状の目盛り、および、前記液体噴射ヘッドから発生したインクミストの飛来を阻止するロータリスケールカバーを有し、搬送駆動ローラと同期して回転する部材にキャリッジの往復移動範囲の外側で装着されて一体に回転する円板状のロータリスケールと、目盛りの通過に基づいて搬送駆動ローラの回転量を検出する回転量センサと、回転量センサの出力に基づいて被記録物の搬送量を検出する制御部とを備える液体噴射装置が提供される。これにより、ロータリスケール自体がカバーを備えているのでインクミストが付着しなくなる。従って、インクミストによる汚染に起因する搬送量の検出精度劣化が防止される。
【００１８】
更に、本発明の第６の形態として、記録領域へと搬送された被記録物上に液体を噴射して被記録物に記録を行う液体噴射装置において被記録物の搬送量を検出する搬送量検出ユニットであって、回転駆動されることにより被記録物を記録領域に搬送する搬送駆動ローラと、記録領域と反対側の円形の面に搬送駆動ローラの回転軸を中心とする環状の反射率分布として形成された目盛りを有し、搬送駆動ローラと同期して回転する部材に記録領域の外側で装着されて一体に回転する円板状のロータリスケールと、目盛りが通過したことによる反射光量の変化に基づいて搬送駆動ローラの回転量を検出する回転量センサとを備える搬送量検出ユニットが提供される。これにより、インクミストにより汚染され難い回転量検出ユニットが供給されるので、インクミストの汚染による搬送量検出精度の劣化が少ない液体噴射装置を容易に実現できる。
【００１９】
更に、本発明の第７の形態として、記録領域へと搬送された被記録物上に液体を噴射して被記録物に記録を行う液体噴射装置において被記録物の搬送量を検出する搬送量検出ユニットであって、回転駆動されることにより被記録物を記録領域に搬送する搬送駆動ローラと、記録領域と反対側の円形の面に搬送駆動ローラの回転軸を中心とする環状の磁束分布または透磁率分布として形成された目盛りを有し、搬送駆動ローラと同期して回転する部材に記録領域の外側で装着されて一体に回転する円板状のロータリスケールと、目盛りが通過したことによる磁束密度または透磁率の変化に基づいて搬送駆動ローラの回転量を検出する回転量センサとを備える搬送量検出ユニットが提供される。これにより、回転量センサとして磁気センサを使用した場合でも、インクミストにより汚染され難い回転量検出ユニットが供給されるので、インクミストの汚染による搬送量検出精度の劣化が少ない液体噴射装置を容易に実現できる。
【００２０】
更に、本発明の第８の形態として、回転駆動されることにより被記録物を所定の搬送方向に搬送する搬送駆動ローラと、搬送駆動ローラと同軸の環状に配された目盛りを有し搬送駆動ローラと一体に回転するロータリスケールと、目盛りの通過を検出することにより搬送駆動ローラの回転量を検出する回転量センサと、搬送駆動ローラにより記録領域に搬送された被記録物に対して液体を噴射する液体噴射ヘッドとを備えた液体噴射装置において、搬送駆動ローラを支持し、且つ、記録領域およびロータリスケールの間に延在して液体噴射ヘッドから発生したインクミストがロータリスケールおよび回転量センサに飛来することを阻止する障壁部を有する支持部材が提供される。これにより、フレームが回転量検出ユニットをインクミストから保護するので、部品点数を増加させることなく、インクミストの汚染に起因する搬送量検出精度の劣化が少ない液体噴射装置を実現できる。
【００２１】
更に、本発明の第９の形態として、回転駆動されることにより被記録物を所定の搬送方向に搬送する搬送駆動ローラと、搬送駆動ローラと同軸の環状に配された目盛りを有し搬送駆動ローラと一体に回転するロータリスケールと、目盛りの通過を検出することにより搬送駆動ローラの回転量を検出する回転量センサと、搬送駆動ローラにより記録領域に搬送された被記録物の表面に液体を噴射する液体噴射ヘッドとを備えた液体噴射装置において、記録領域とロータリスケールおよび回転量センサとの間に延在して、液体噴射ヘッドから発生したインクミストがロータリスケールに飛来することを阻止する遮蔽部材が提供される。これにより、ロータリスケールへのインクミストの付着を阻止できるので、汚染による検出精度の劣化を防止できる。また、既存の液体噴射装置にこの遮蔽部材を付加することにより、回転量検出の精度劣化を低減させることができる。
【００２２】
更に、本発明の第１０の形態として、記録領域へと搬送された被記録物上に液体を噴射して被記録物に記録を行う液体噴射装置において被記録物の搬送量を検出する搬送量検出ユニットであって、回転駆動されることにより被記録物を記録領域に搬送する搬送駆動ローラと、記録領域と反対側の円形の面に搬送駆動ローラの回転軸を中心とする環状の目盛り、および、記録領域から飛来したインクミストを阻止するロータリスケールカバーを有し、搬送駆動ローラと同期して回転する部材に記録領域の外側で装着されて一体に回転する円板状のロータリスケールと、目盛りの通過を検出することにより搬送駆動ローラの回転量を検出する回転量センサとを備える搬送量検出ユニットが提供される。これにより、ロータリスケールに対するインクミストの付着が防止され、回転量検出の精度劣化が低減される。
【００２３】
更に、本発明の第１１の形態として、記録領域へと搬送された被記録物上に液体を噴射して被記録物に記録を行う液体噴射装置において被記録物の搬送量を検出する搬送量検出ユニットであって、回転駆動されることにより被記録物を記録領域に搬送する搬送駆動ローラと、記録領域の反対側の円形の面に搬送駆動ローラの回転軸を中心とする環状の目盛りを有し、搬送駆動ローラと同期して回転する部材に記録領域の外側で装着されて一体に回転する円板状のロータリスケールと、記録領域から飛来したインクミストの付着を阻止するセンサカバーを有し、目盛りが通過したことに基づいて搬送駆動ローラの回転量を検出する回転量センサとを備える搬送量検出ユニットが提供される。これにより、回転量センサに対するインクミストの付着が防止され、回転量検出の精度劣化が低減される。
【００２４】
更に、本発明の第１２の形態として、ガイド手段と、ガイド手段に案内されて所定の主走査方向に往復移動するキャリッジと、キャリッジに搬送されつつインクを吐出する記録ヘッドと、回転駆動されて主走査方向と交差する搬送方向に被記録物を搬送して記録ヘッドに対向する位置に被記録物を送り込む搬送駆動ローラと、記録ヘッドに対面しない側の円形の面に搬送駆動ローラの回転軸を中心とする環状の反射率分布として形成された目盛りを有し、搬送駆動ローラと同期して回転する部材にキャリッジの往復移動範囲の外側で装着されて一体に回転する円板状のロータリスケールと、反射光量の変化に基づいて目盛りの通過を検出する回転量センサと、回転量センサの出力に基づいて被記録物の搬送量を検出する制御部とを備える記録装置が提供される。これにより、記録装置においても、インクミストによる汚染の影響を受けるロータリスケールおよび回転量センサを含む回転量検出ユニットがインクミストを発生する液体噴射ヘッドに対面しなくなるので、インクミストの汚染が生じ難くなる。
【００２５】
更に、本発明の第１３の形態として、ガイド手段と、ガイド手段に案内されて所定の主走査方向に往復移動するキャリッジと、キャリッジに搬送されつつインクを吐出する記録ヘッドと、回転駆動されて主走査方向と交差する搬送方向に被記録物を搬送して記録ヘッドに対向する位置に被記録物を送り込む搬送駆動ローラと、記録ヘッドに対面しない側の円形の面に搬送駆動ローラの回転軸を中心とする環状の磁束分布または透磁率分布として形成された目盛りを有し、搬送駆動ローラと同期して回転する部材にキャリッジの往復移動範囲の外側で装着されて一体に回転する円板状のロータリスケールと、磁束密度または透磁率の変化に基づいて目盛りの通過を検出する回転量センサと、回転量センサの出力に基づいて被記録物の搬送量を検出する制御部とを備える記録装置が提供される。これにより、記録装置において回転量センサとして磁気センサを使用した場合でも、インクミストによる汚染の影響を受けるロータリスケールおよび回転量センサを含む回転量検出ユニットがインクミストを発生する液体噴射ヘッドに対面しなくなるので、インクミストの汚染が生じ難くなる。
【００２６】
更に、本発明の第１４の形態として、ガイド手段に案内されて所定の主走査方向に往復移動するキャリッジと、キャリッジに搬送されつつインクを吐出する記録ヘッドと、回転駆動されて主走査方向と交差する搬送方向に被記録物を搬送して記録ヘッドに対向する位置に被記録物を送り込む搬送駆動ローラと、記録ヘッドに対面しない側の円形の面に搬送駆動ローラの回転軸を中心とする環状の目盛りを有し、搬送駆動ローラと同期して回転する部材にキャリッジの往復移動範囲の外側で装着されて一体に回転する円板状のロータリスケールと、目盛りの通過に基づいて搬送駆動ローラの回転量を検出する回転量センサと、回転量センサの出力に基づいて被記録物の搬送量を検出する制御部と、キャリッジの往復移動の範囲とロータリスケールとの間に延在して記録ヘッドから発生したインクミストがロータリスケールに付着することを阻止しつつ、ガイド手段および搬送駆動ローラの少なくとも一方を往復移動の範囲の外側で支持する支持部材とを備える記録装置が提供される。これにより、記録装置においても、部品点数を増加させることなく、インクミストによる汚染から回転量検出ユニットを保護することができる。
【００２７】
更に、本発明の第１５の形態として、ガイド手段と、ガイド手段に案内されて所定の主走査方向に往復移動するキャリッジと、キャリッジに搬送されつつインクを吐出する記録ヘッドと、回転駆動されて主走査方向と交差する搬送方向に被記録物を搬送して記録ヘッドに対向する位置に被記録物を送り込む搬送駆動ローラと、記録ヘッドに対面しない側の円形の面に搬送駆動ローラの回転軸を中心とする環状の目盛りを有し、搬送駆動ローラと同期して回転する部材にキャリッジの往復移動範囲の外側で装着されて一体に回転する円板状のロータリスケールと、目盛りの通過に基づいて搬送駆動ローラの回転量を検出する回転量センサと、回転量センサの出力に基づいて被記録物の搬送量を検出する制御部と、キャリッジの往復移動の範囲と回転量センサとの間に配置され、記録ヘッドから発生したインクミストがロータリスケールに飛来することを阻止するロータリスケールカバーとを備える記録装置が提供される。これにより、記録装置においても、インクミストによる汚染の影響を受けるロータリスケールがインクミストを発生する液体噴射ヘッドに対面しなくなるので、インクミストが付着し難くなる。従って、インクミストによる汚染に起因する搬送量の検出精度の劣化が防止される。
【００２８】
更に、本発明の第１６の形態として、ガイド手段と、ガイド手段に案内されて所定の主走査方向に往復移動するキャリッジと、キャリッジに搬送されつつインクを吐出する記録ヘッドと、回転駆動されて主走査方向と交差する搬送方向に被記録物を搬送して記録ヘッドに対向する位置に被記録物を送り込む搬送駆動ローラと、記録ヘッドに対面しない側の円形の面に搬送駆動ローラの回転軸を中心とする環状の目盛り、および、記録ヘッドから発生したインクミストの飛来を阻止するロータリスケールカバーを有し、搬送駆動ローラと同期して回転する部材にキャリッジの往復移動範囲の外側で装着されて一体に回転する円板状のロータリスケールと、目盛りの通過に基づいて搬送駆動ローラの回転量を検出する回転量センサと、回転量センサの出力に基づいて被記録物の搬送量を検出する制御部とを備える記録装置が提供される。これにより、記録装置において回転量センサとして磁気センサを使用した場合でも、インクミストによる汚染の影響を受けるロータリスケールがインクミストを発生する液体噴射ヘッドに対面しなくなるので、インクミストが付着し難くなる。従って、インクミストによる汚染に起因する搬送量の検出精度の劣化が防止される。
【００２９】
なお、上記の発明の概要は、本発明の必要な特徴の全てを列挙したものではなく、これらの特徴群のサブコンビネーションもまた、発明となりうる。
【発明を実施するための最良の形態】
【００３０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００３１】
図１は、液体噴射装置のひとつの実施形態であるインクジェット式記録装置の主要な内部機構１０を抜き出して示す分解斜視図である。同図に示すように、この内部機構１０は、両側部において前方に向かって延在する側壁部１１２（右側の側壁部はこの図では見えない）を備えて起立するフレーム１１０の前後に、記録用紙１２０の搬送経路に沿って形成されている。
【００３２】
フレーム１１０の後方にはペーパサポート１３０が設けられ、被記録物である記録用紙１２０はペーパサポート１３０に装入される。ペーパサポート１３０の下端近傍にはフレーム１１０に隠れた給送部が設けられており、この給送部により記録用紙１２０が１枚ずつインクジェット式記録装置に取り込まれる。
【００３３】
フレーム１１０の直下付近には回転駆動される搬送駆動ローラ１７０が配置され、これにより、取り込まれた記録用紙１２０は、図中に矢印Ｆによって示す搬送方向に搬送される。搬送経路となる搬送駆動ローラ１７０の前方には、プラテン１６０および排出トレー１８０が順次配置されている。また、プラテン１６０の右側方には、ワイピング部材１９９、キャッピング部材１９０が順次配置されている。
【００３４】
プラテン１６０は、記録用紙１２０を下方から支持することにより、記録用紙１２０を高さ方向について位置決めする。記録用紙１２０に対するインクの吐出は、プラテン１６０の上に記録用紙１２０が位置するときに行われる。記録用紙１２０に対してインクを吐出する記録ヘッド１５６は、プラテン１６０の高さに対して上方に配置され、後述するキャリッジ１５０に搬送されつつ記録用紙１２０の全幅にわたって往復移動する。
【００３５】
記録ヘッド１５６は、キャリッジ１５０の下面に装着されている。キャリッジ１５０は、その後方に形成された軸受け部１５２に挿通されたガイド手段としてのガイド軸１４０に支持されている。また、ガイド軸１４０は、側壁部１１２と他方の側壁部において両端を支持され、フレーム１１０と平行に、且つ、水平に配置されている。
【００３６】
なお、ガイド軸１４０は、その両端部は側壁部１１２に結合するための加工がされているが、一対の側壁部１１２の間の領域では一定の断面形状を有しており、キャリッジ１５０の移動を案内する案内部１４２を形成している。従って、ガイド軸１４０に案内されたキャリッジ１５０は、搬送方向と直交し且つ水平である主走査方向に往復移動できる。
【００３７】
また、キャリッジ１５０は、その上部に開閉できるカバー１５８を備え、自身の内部に収容されるインクカートリッジを装着あるいは交換できる。このインクカートリッジから供給されるインクが、記録ヘッド１５６を介して下方に向かって吐出される。
【００３８】
更に、フレーム１１０の前面には、１対のプーリに掛けわたされたタイミングベルト１５１が配置されている。タイミングベルト１５１は、少なくとも一方が回転駆動されるプーリの回転に従って循環し、プーリどうしの間では水平に変位する。従って、水平移動する部分をキャリッジ１５０に結合することにより、キャリッジ１５０を往復移動させられる。
【００３９】
また、フレーム１１０の後方には、制御部２００の基板が実装されている。制御部２００は、外部から転送された記録すべき画像データを保持して、それに応じた記録用紙１２０の搬送制御、キャリッジ１５０の移動制御、記録ヘッド１５６の動作制御等を行う。更に、後述する各種検出手段からの信号を得、それらに基づいてこのインクジェット式記録装置の各部の動作を監視して制御に反映させる。
【００４０】
検出手段のひとつは、側壁部１１２の外側で、搬送駆動ローラ１７０の端部に装着され、搬送駆動ローラ１７０と一体に回転するロータリスケール１７２である。ロータリスケール１７２は円板状で、その側面に形成された搬送駆動ローラ１７０の回転軸に同軸な環状の目盛りとを有する。この目盛りの通過を側壁部１１２側に固定されたセンサ（不図示）で計測することにより、搬送駆動ローラ１７０の正確な回転量が検出できる。搬送駆動ローラ１７０の回転量はそれに搬送される記録用紙１２０の搬送量に対応しているので、回転量をデータとして受けた制御部２００は、それに基づいて記録用紙１２０の搬送量を算出できる。なお、この実施形態では、ロータリスケール１７２を搬送駆動ローラ１７０に装着して搬送量の検出に用いた。しかしながら、搬送駆動ローラ１７０の回転に同期して回転する他の部材、即ち、搬送従動ローラ、搬送駆動ローラ１７０の駆動ギア等にロータリスケール１７２を装着した場合でも、その回転量を計測することにより、記録用紙１２０の搬送量を算出できる。
【００４１】
また、図示はされていないが、搬送される記録用紙１２０の先端が通過したことを検出するセンサが搬送駆動ローラ１７０の近傍に設けられている。このセンサは、記録用紙１２０の先端が通過したことを検出したときに、制御部２００にそれを通知する。
【００４２】
更に、フレーム１１０の前面とキャリッジ１５０との間には、キャリッジ１５０の移動範囲の全幅にわたって張りわたされたリニアスケール１５３が、ガイド軸１４０と平行に配置されている。リニアスケール１５３は、その長手方向に形成された目盛りを有する。この目盛りの通過を、キャリッジ１５０の背面に装着されたセンサにより計測することにより、記録用紙１２０の幅方向についてのキャリッジ１５０の移動量に対応したデータが得られ、制御部２００に提供される。
【００４３】
制御部２００は、上記のような種々の検出結果を制御データとして獲得し、例えば、記録用紙１２０先端の通過を検出したときから搬送駆動ローラ１７０の回転量を蓄積して、搬送中の記録用紙１２０の搬送方向の正確な位置を算出できる。また、リニアスケール１５３により、主走査方向について、キャリッジ１５０および記録ヘッド１５６の正確な位置を算出できる。これらの算出データを参照しつつ記録ヘッド１５６の動作または非動作を制御することにより、記録用紙１２０上の所望の領域に向かって、正確にインクを吐出させることができる。
【００４４】
図２は、図１に示した内部機構１０から、搬送駆動ローラ１７０の回転量を検出する回転量検出ユニット２０を抜き出して示す斜視図である。同図に示すように、この回転量検出ユニット２０において、搬送駆動ローラ１７０の端部に装着された円板状のロータリスケール１７２は、搬送駆動ローラ１７０が延在する側とは反対に当たる円形の側面に目盛り１７３を備えている。この目盛り１７３は、反射率の分布として形成されており、例えば、目盛り１７３の存在する領域に限り反射率が高くなっている。
【００４５】
このようなロータリスケール１７２を図１に示した内部機構１０に当てはめると、搬送駆動ローラ１７０の回転量検出に使用される目盛り１７３が、側壁部１１２の内側に形成される記録領域に対面しないことを意味する。インクミストは記録ヘッド１５６が記録領域にあるときに多量に発生するので、記録領域に対面しない目盛り１７３にはインクミストが付着し難くなる。
【００４６】
なお、透過型の回転量センサおよびロータリスケールを備えた既存のインクジェット式記録装置に対して、上記のような反射率分布による目盛り１７３を備えたロータリスケール１７２と反射型の回転量センサ１７４を含む回転量検出ユニットを単独で供給して交換することもできる。これにより、既存のインクジェット式記録装置におけるインクミストによる汚染を低減させることができる。
【００４７】
また、図２に示すように、搬送駆動ローラ１７０の回転による目盛り１７３の通過を検出する回転量センサ１７４は、ロータリスケール１７２に対して、目盛り１７３が形成された面にだけ対面している。即ち、この回転量センサ１７４は、単一の基板に光源と受光素子とを備えた反射型センサである。従って、回転量センサ１７４の発光部および受光部とインクミストが発生する記録領域との間ではロータリスケール１７２自体が障壁となり、回転量センサ１７４にインクミストが付着し難い。
【００４８】
なお、目盛り１７３としては、具体的には、表面の平滑なフィルムを担体とするリニアスケール１５３に断続的なパターンで金属膜を蒸着して目盛り１７３とする形態、金属箔を担体とするリニアスケール１５３にエンボス、プレスあるいはエッチング等の加工方法で形成した断続的な模様あるいは穴を目盛り１７３とする形態を例示できる。なお、リニアスケール１５３の担体が透明であっても、担体よりも高い反射率を有する目盛り１７３を形成すれば、担体の裏面がインクに汚染されても、反射光による目盛り１７３の検出には差し支えない。
【００４９】
また、上記の実施形態では光学的な反射率分布として目盛り１７３を形成したが、他の手段により形成することもできる。例えば、磁化率または透磁率が異なる材料を用いて目盛り１７３を形成することもできる。この場合、回転量センサ１７４としては、磁束密度の変化を検出できる磁気センサまたは自身が磁界発生手段を有する透磁率計を使用する。
【００５０】
インクジェット式チェックライタ等のように記録物の改竄に対する高いセキュリティが要求される用途では、磁性体を含むいわゆる磁気インクが用いられる場合がある。このような用途では、磁気センサを使用した回転検出ユニットを実装した場合でも、インクミストによる汚染の影響を受けて検出精度が劣化する。従って、磁気センサを用いた場合も、回転量センサ１７４およびロータリスケール１７２に対するインクミストの付着を防止することは有益である。
【００５１】
図３は、回転量検出ユニット３０の他の実施形態を示す斜視図であり、図２とは反対に、搬送駆動ローラ１７０が延在する側からロータリスケール１７２を見た様子を示す。同図に示すように、この実施形態においては、ロータリスケール１７２に対して記録領域に近い側に、ロータリスケール１７２よりも大きな寸法を有する円板状のロータリスケールカバー１７６が装着されている。従って、記録領域からロータリスケール１７２および回転量センサ１７４に向かうインクミストは、ロータリスケールカバー１７６に付着して、ロータリスケール１７２には到達しない。
【００５２】
このように、ロータリスケール１７２にロータリスケールカバー１７６を設けることにより、インクミストによる汚染がより一層低減される。また、図３に示すロータリスケールカバー１７６を単独で供給して既存のインクジェット式記録装置に装着することにより、同様の機能を実現することもできる。
【００５３】
図４は、回転量検出ユニット４０の他の実施形態を、図２と同じ視点から示す斜視図である。この実施形態では、回転量センサ１７４に、その周囲を包囲するセンサカバー１７５が装着されている。これにより、記録領域と回転量センサ１７４との間が遮断され、回転量センサ１７４に対するインクミストの付着が確実に防止される。
【００５４】
なお、図４に示すセンサカバー１７５を単独で供給し、既存のインクジェット式記録装置の回転量センサ１７４に装着することもできる。これにより、既存のインクジェット式記録装置においても、回転量センサ１７４のインクミストによる汚染を低減させることができる。また、図３に示したロータリスケールカバー１７６とこの回転量センサ１７４を同時に実装することにより、より一層効果を高めることもできる。
【００５５】
図５は、回転量検出ユニット５０の他の実施形態を、図３と同じ視点から示す斜視図である。同図に示すように、この実施形態では、搬送駆動ローラ１７０、ガイド軸１４０等の内部要素を支持しているフレーム１１０の側壁部１１３が前方に向かって延長されている。また、ロータリスケール１７２および回転量センサ１７４を含む回転量検出ユニット５０は、この延長された側壁部１１３の外側に形成されており、記録領域との連通は側壁部１１３により遮断されている。これにより、記録領域で発生したインクミストの回転量検出ユニット５０への飛来は、側壁部１１３により阻止される。
【００５６】
このような構造により、インクジェット式記録装置の部品点数を増加させることなく、インクミストによる回転量検出ユニットの汚染を防止できる。また、このような形状の側壁部１１３を備えたフレーム１１０を単独で供給して交換することにより、既存のインクジェット式記録装置に、この実施形態と同じ機能を実現させることもできる。
【００５７】
なお、インクミストに対して障壁となるという機能に鑑みて、側壁部１１３には開口部が少ないことが望ましい。このため、例えば、搬送駆動ローラ１７０の組み付け方法を変更することが好ましい場合がある。即ち、例えば図１に示した内部機構１０では、搬送駆動ローラ１７０が側壁部１１２を貫通するときに挿通される穴は側壁部１１２の前縁まで連続して開口している。従って、ロータリスケール１７２、ギア３１０等を既に装着した搬送駆動ローラ１７０を、フレーム１１０および側壁部１１２の前方から組み付けることができた。しかしながら、このような開口はインクミストを通過させてしまうので望ましくない。そこで、図５に示した実施形態では、搬送駆動ローラ１７０を挿通するために側壁部１１３に形成された穴は搬送駆動ローラ１７０と実質的に同径であり、搬送駆動ローラ１７０を装着したときには略塞がれている。このような側壁部１１３に搬送駆動ローラ１７０を組み付ける場合は、まず、搬送駆動ローラ１７０を単独で側壁部１１３の穴に挿通した後に、ロータリスケール１７２、ギア３１０等を搬送駆動ローラ１７０に取り付ける手順を選択すべきである。
【００５８】
図６は、回転量検出ユニット６０の更に他の実施形態を、インクジェット式記録装置全体の水平断面により模式的に示す図である。同図に示すように、図１に示した内部機構１０は、製品では筐体６００に収容されている。ここでは、フレーム１１０および側壁部１１２により内部機構１０を代表して示している。筐体６００は、内部機構１０よりも幅が大きく、フレーム１１０の側壁部１１２と筐体６００との間のスペースに、ロータリスケール１７２および回転量センサ１７４を含む回転量検出ユニットが配置されている。
【００５９】
更に、このインクジェット式記録装置は、側壁部１１２の外面に固定された回転量検出ユニットカバー６１０を備えている。この回転量検出ユニットカバー６１０は、一端が側壁部１１２に密着しており、他端は回転量検出ユニットの側方を通って筐体６００の内壁近くまで延在している。このように、回転量検出ユニットカバー６１０は、フレーム１１０の側壁部１１２の間に形成される記録領域と、ロータリスケール１７２および回転量センサ１７４により形成された回転量検出ユニットとの間の連通を遮断している。従って、記録領域において発生したインクミストは、回転量検出ユニットカバー６１０に妨げられて、ロータリスケール１７２および回転量センサ１７４に到達できない。こうして、インクミストによる汚染に起因する搬送量検出の劣化が防止される。
【００６０】
図７は、回転量検出ユニット７０の他の実施形態を、図６と同じ視点で模式的に示す図である。同図に示すように、この実施形態では、回転量検出ユニットの側方を通って筐体７００の内壁近くまで延在している回転量検出ユニットカバー７１０が、搬送駆動ローラ１７０を共用することによりロータリスケール１７２に装着されている。これにより、記録領域において発生したインクミストは、回転量検出ユニットカバー７１０に妨げられてロータリスケール１７２および回転量センサ１７４に到達できない。こうして、インクミストによる汚染に起因する搬送量検出の劣化が防止される。
【００６１】
なお、図６および図７に示した回転量検出ユニットカバー７１０、６１０を単独で供給して既存のインクジェット式記録装置に装着し、これらの実施形態と同じ機能を実現させることもできる。
【００６２】
以上、詳細に説明したように、このインクジェット式液体噴射装置では、ロータリスケール１７２および回転量センサ１７４を含む回転量検出ユニットがインクミストに汚染され難い構造を有するので、記録ヘッド１５６の動作に伴ってインクミストが発生したとしても、被記録物の搬送量検出機能が劣化せず、品質の高い記録動作を維持できる。また、ロータリスケール１７２、回転量センサ１７４およびそれらに対するロータリスケールカバー１７６あるいは回転量検出ユニットカバー６１０、７１０等を組み合わせて回転検出ユニットとして供給し、既存の部品に付加し、あるいは既存の部品に付加して使用することもできる。
【００６３】
なお、インクジェット式記録装置を例に挙げて説明したが、液体噴射装置としては、液体噴射ヘッドとして材噴射ヘッドを備えた液晶ディスプレイのカラーフィルタ製造装置、液体噴射ヘッドとして電極材（電導ペースト）噴射ヘッドを備えた有機ＥＬディスプレイ、ＦＥＤ（面発光ディスプレイ）等の電極形成装置、液体噴射ヘッドとして生体有機物噴射ヘッドおよび精密ピペットを備えたバイオチップ製造装置等を例示できる。また、被記録物とは、液体噴射ヘッドから噴射された液体を付着され得るものを一般に指し、記録用紙の他に、回路基板、円板形光記録媒体、プレパラート等も含まれる。
【００６４】
更に、本発明を実施の形態を用いて説明したが、本発明の技術的範囲は上記実施の形態に記載の範囲には限定されない。上記実施の形態に、多様な変更または改良を加え得ることは当業者に明らかである。また、その様な変更または改良を加えた形態も本発明の技術的範囲に含まれ得ることは、特許請求の範囲の記載から明らかである。
【図面の簡単な説明】
【００６５】
【図１】インクジェット式記録装置の内部機構１０を示す斜視図。
【図２】内部機構１０で使用されているロータリスケール１７２を示す斜視図。
【図３】ロータリスケール１７２にカバーを装着した様子を示す斜視図。
【図４】センサ１４６にカバーを装着した様子を示す斜視図。
【図５】側壁部１１３をカバーとした実施形態を示す斜視図。
【図６】側壁部１１２に装着された回転量検出ユニットカバー６１０を模式的に示す図。
【図７】搬送駆動ローラ１７０を介してロータリスケール１７２に装着された回転量検出ユニットカバー７１０を模式的に示す図。
【符号の説明】
【００６６】
１０  内部機構、２０、３０、４０、５０、６０、７０  回転量検出ユニット、１１０  フレーム、１１２、１１３、１１４  側壁部、１２０  記録用紙、１３０  ペーパサポート、１４０  ガイド軸、１４２  案内部、１５０  キャリッジ、１５１  タイミングベルト、１５２  軸受け部、１５３  リニアスケール、１５６  記録ヘッド、１６０  プラテン、１７０  搬送駆動ローラ、１７２  ロータリスケール、１７３  目盛り、１７４  回転量センサ、１７５  センサカバー、１７６  ロータリスケールカバー、２００  制御部、６００、７００  筐体、６１０、７１０  回転量検出ユニットカバー
【図１】
2006341234.tif 000003
【図２】
2006341234.tif 000004
【図３】
2006341234.tif 000005
【図４】
2006341234.tif 000006
【図５】
2006341234.tif 000007
【図６】
2006341234.tif 000008
【図７】
2006341234.tif 000009